(57)【要約】【課題】  新規にネットワークに接続されるＸ．２５−ＩＰプロトコル変換機の接続情報を既設Ｘ．２５−ＩＰプロトコル変換機で認識可能なとするパケット通信システムを提供する。【解決手段】  Ｘ．２５−ＩＰプロトコル変換機１は端末側通信部１３でＸ．２５パケット端末３からの呼接続要求を受信した時に、変換機側通信部１２からＸ．２５−ＩＰプロトコル変換機２向けにＤＴＥアドレス、ユーザＩＤ、パスワードをＩＰパケットとして送信する。Ｘ．２５−ＩＰプロトコル変換機２は変換機側通信部２３でＸ．２５−ＩＰプロトコル変換機１からのＩＰパケットを受信すると、そのＩＰパケットの内容を基に接続認証アドレス記憶部２２にて接続の認証及びＤＴＥアドレス−ＩＰアドレス変換テーブル２１へのＤＴＥアドレス及びＩＰアドレスの記憶を行う。【選択図】      図１                                                  
2005269127.tif 000002
【特許請求の範囲】
【請求項１】
第１のプロトコルによるパケット端末を第２のプロトコルによるネットワークへ接続するためのプロトコル変換機を含むパケット通信システムであって、
前記パケット端末が新規に接続される時に当該パケット端末のアドレス情報を前記ネットワークに既接続のプロトコル変換機に通知する通知手段と、通知されたアドレス情報と当該アドレス情報の通知元のプロトコル変換機のアドレス情報とを変換テーブルに記憶する記憶処理手段と、前記変換テーブルのアドレス情報を基に前記通知元のプロトコル変換機への通信を行う通信手段とを前記プロトコル変換機に有することを特徴とするパケット通信システム。
【請求項２】
前記通知手段は、新規接続のためのユーザ認証のためのログイン名及びパスワードを通知する手段を含むことを特徴とする請求項１記載のパケット通信システム。
【請求項３】
前記プロトコル変換機に、新設のプロトコル変換機からの前記ログイン名の認証を行う手段と、この認証の可否を当該新設のプロトコル変換機に通知する手段とを含むことを特徴とする請求項２記載のパケット通信システム。
【請求項４】
前記プロトコル変換機に、前記認証によって許可されないパケット端末の接続拒否及び同一ネットワーク上での接続グループの制限を少なくとも行う手段を含むことを特徴とする請求項３記載のパケット通信システム。
【請求項５】
前記第１のプロトコルがＸ．２５に規定されたプロトコルであり、かつ前記第２のプロトコルがＩＰ（Ｉｎｔｅｒｎｅｔ  Ｐｒｏｔｏｃｏｌ）であることを特徴とする請求項１から請求項４のいずれか記載のパケット通信システム。
【請求項６】
第１のプロトコルによるパケット端末を第２のプロトコルによるネットワークへ接続するためのプロトコル変換機と、前記ネットワークにおけるアドレスを管理するゲートキーパとを含むパケット通信システムであって、
前記プロトコル変換機に、前記パケット端末が新規に接続される時に当該パケット端末のアドレス情報を電話番号の代わりに前記ゲートキーパに通知する手段と、前記ゲートキーパに登録されたアドレス情報を取得する手段と、前記ゲートキーパから取得したアドレス情報に基づいて新設されたプロトコル変換機への通信を行う手段とを有することを特徴とするパケット通信システム。
【請求項７】
前記第１のプロトコルがＸ．２５に規定されたプロトコルであり、前記第２のプロトコルがＩＰ（Ｉｎｔｅｒｎｅｔ  Ｐｒｏｔｏｃｏｌ）であり、前記ゲートキーパがＨ．３２３に規定されたプロトコルを用いることを特徴とする請求項６記載のパケット通信システム。
【請求項８】
第１のプロトコルによるパケット端末を第２のプロトコルによるネットワークへ接続するためのプロトコル変換機であって、前記パケット端末が新規に接続される時に当該パケット端末のアドレス情報を前記ネットワークに既接続のプロトコル変換機に通知する通知手段と、通知されたアドレス情報と当該アドレス情報の通知元のプロトコル変換機のアドレス情報とを変換テーブルに記憶する記憶処理手段と、前記変換テーブルのアドレス情報を基に前記通知元のプロトコル変換機への通信を行う通信手段とを有することを特徴とするプロトコル変換機。
【請求項９】
前記通知手段は、新規接続のためのユーザ認証のためのログイン名及びパスワードを通知する手段を含むことを特徴とする請求項８記載のプロトコル変換機。
【請求項１０】
新設のプロトコル変換機からの前記ログイン名の認証を行う手段と、この認証の可否を当該新設のプロトコル変換機に通知する手段とを含むことを特徴とする請求項９記載のプロトコル変換機。
【請求項１１】
前記認証によって許可されないパケット端末の接続拒否及び同一ネットワーク上での接続グループの制限を少なくとも行う手段を含むことを特徴とする請求項１０記載のプロトコル変換機。
【請求項１２】
前記第１のプロトコルがＸ．２５に規定されたプロトコルであり、かつ前記第２のプロトコルがＩＰ（Ｉｎｔｅｒｎｅｔ  Ｐｒｏｔｏｃｏｌ）であることを特徴とする請求項８から請求項１１のいずれか記載のプロトコル変換機。
【請求項１３】
第１のプロトコルによるネットワークにおけるアドレスを管理するゲートキーパを含むパケット通信システムにおいて、第２のプロトコルによるパケット端末を前記ネットワークへ接続するためのプロトコル変換機であって、
前記パケット端末が新規に接続される時に当該パケット端末のアドレス情報を電話番号の代わりに前記ゲートキーパに通知する手段と、前記ゲートキーパに登録されたアドレス情報を取得する手段と、前記ゲートキーパから取得したアドレス情報に基づいて新設されたプロトコル変換機への通信を行う手段とを有することを特徴とするプロトコル変換機。
【請求項１４】
前記第１のプロトコルがＩＰ（Ｉｎｔｅｒｎｅｔ  Ｐｒｏｔｏｃｏｌ）であり、前記第２のプロトコルがＸ．２５に規定されたプロトコルであり、前記ゲートキーパがＨ．３２３に規定されたプロトコルを用いることを特徴とする請求項１３記載のプロトコル変換機。
【請求項１５】
第１のプロトコルによるパケット端末を第２のプロトコルによるネットワークへ接続するためのプロトコル変換機を含むパケット通信システムにおいてアドレス認識を行うアドレス認識方法であって、前記プロトコル変換機側に、前記パケット端末が新規に接続される時に当該パケット端末のアドレス情報を前記ネットワークに既接続のプロトコル変換機に通知するステップと、通知されたアドレス情報と当該アドレス情報の通知元のプロトコル変換機のアドレス情報とを変換テーブルに記憶するステップと、前記変換テーブルのアドレス情報を基に前記通知元のプロトコル変換機への通信を行うステップとを有することを特徴とするアドレス認識方法。
【請求項１６】
前記アドレス情報を通知するステップは、新規接続のためのユーザ認証のためのログイン名及びパスワードを通知することを特徴とする請求項１５記載のアドレス認識方法。
【請求項１７】
前記プロトコル変換機側に、新設のプロトコル変換機からの前記ログイン名の認証を行うステップと、この認証の可否を当該新設のプロトコル変換機に通知するステップとを含むことを特徴とする請求項１６記載のアドレス認識方法。
【請求項１８】
前記プロトコル変換機側に、前記認証によって許可されないパケット端末の接続拒否及び同一ネットワーク上での接続グループの制限を少なくとも行うステップを含むことを特徴とする請求項１７記載のアドレス認識方法。
【請求項１９】
前記第１のプロトコルがＸ．２５に規定されたプロトコルであり、かつ前記第２のプロトコルがＩＰ（Ｉｎｔｅｒｎｅｔ  Ｐｒｏｔｏｃｏｌ）であることを特徴とする請求項１５から請求項１８のいずれか記載のアドレス認識方法。
【請求項２０】
第１のプロトコルによるパケット端末を第２のプロトコルによるネットワークへ接続するためのプロトコル変換機と、前記ネットワークにおけるアドレスを管理するゲートキーパとを含むパケット通信システムにおいてアドレス認識を行うアドレス認識方法であって、前記プロトコル変換機側に、前記パケット端末が新規に接続される時に当該パケット端末のアドレス情報を電話番号の代わりに前記ゲートキーパに通知するステップと、前記ゲートキーパに登録されたアドレス情報を取得するステップと、前記ゲートキーパから取得したアドレス情報に基づいて新設されたプロトコル変換機への通信を行うステップとを有することを特徴とするアドレス認識方法。
【請求項２１】
前記第１のプロトコルがＸ．２５に規定されたプロトコルであり、前記第２のプロトコルがＩＰ（Ｉｎｔｅｒｎｅｔ  Ｐｒｏｔｏｃｏｌ）であり、前記ゲートキーパがＨ．３２３に規定されたプロトコルを用いることを特徴とする請求項２２記載のアドレス認識方法。
【発明の詳細な説明】
【技術分野】
【０００１】
本発明はパケット通信システム、プロトコル変換機及びそれらに用いるアドレス認識方法に関し、特にＩＰ（Ｉｎｔｅｒｎｅｔ  Ｐｒｏｔｏｃｏｌ）ネットワークシステムへＸ．２５−ＩＰプロトコル変換機を介してＸ．２５パケット端末を接続する方法に関する。
【背景技術】
【０００２】
従来、Ｘ．２５−ＩＰプロトコル変換機では、ＩＰネットワークシステムへＸ．２５パケット端末を接続する際に、Ｘ．２５プロトコルとＩＰプロトコルとの変換を行っている（例えば、特許文献１参照）。
【０００３】
このＸ．２５−ＩＰプロトコル変換機では、新設Ｘ．２５−ＩＰプロトコル変換機に対して既設Ｘ．２５−ＩＰプロトコル変換機のＤＴＥ（Ｄａｔａ  Ｔｅｒｍｉｎａｌ  Ｅｑｕｉｐｍｅｎｔ）アドレス及びＩＰアドレスを登録するＤＴＥアドレス及びＩＰアドレス登録手段と、既設Ｘ．２５−ＩＰプロトコル変換機に対して新設Ｘ．２５−ＩＰプロトコル変換機のＤＴＥアドレス及びＩＰアドレスを登録するＤＴＥアドレス及びＩＰアドレス登録手段とから構成されている。
【０００４】
このような構成を有する従来のＸ．２５−ＩＰプロトコル変換機システムにおいて、ネットワーク上に新規端末を接続する場合に、既設Ｘ．２５−ＩＰプロトコル変換機への登録手段によって新規Ｘ．２５−ＩＰプロトコル変換機の接続を可能とするため、新規端末を新設する都度、新規端末の全接続先のＸ．２５−ＩＰプロトコル変換機への登録作業が発生している。
【０００５】
ここで、Ｘ．２５とは、公衆パケット網での網終端装置（ＤＣＥ：Ｄａｔａ  Ｃｉｒｃｕｉｔ  ｔｅｒｍｉｎａｔｉｎｇ  Ｅｑｕｉｐｍｅｎｔ）と端末（ＤＴＥ）とのインタフェース規定であり、データ転送に主従の関係を持ち込まないＬＡＰ−Ｂ（Ｌｉｎｋ  Ａｃｃｅｓｓ  Ｐｒｏｃｅｄｕｒｅ−Ｂａｌａｎｃｅｄ：平衡型リンク・アクセス・プロトコル）が規定されている。
【０００６】
【特許文献１】特開２００３−６０７１６号公報
【発明の開示】
【発明が解決しようとする課題】
【０００７】
上述した従来のＸ．２５−ＩＰプロトコル変換機では、Ｘ．２５パケットとＩＰプロトコルとの異なるプロトコルを接続するための手段として、ＤＴＥアドレスとＩＰアドレスとの対応が必要であり、ＤＴＥアドレス−ＩＰアドレスの対応表が既設及び新設のＸ．２５−ＩＰプロトコル変換機各々に必要であるため、Ｘ．２５−ＩＰプロトコル変換機をネットワーク上に新設する毎に既設Ｘ．２５−ＩＰプロトコル変換機への設定変更が発生するという問題がある。
【０００８】
そこで、本発明の目的は上記の問題点を解消し、新規にネットワークに接続されるＸ．２５−ＩＰプロトコル変換機の接続情報を既設Ｘ．２５−ＩＰプロトコル変換機で認識することができるパケット通信システム、プロトコル変換機及びそれらに用いるアドレス認識方法を提供することにある。
【０００９】
本発明の他の目的は、新規に接続されるＸ．２５−ＩＰプロトコル変換機への接続認証を行うことができるパケット通信システム、プロトコル変換機及びそれらに用いるアドレス認識方法を提供することにある。
【課題を解決するための手段】
【００１０】
本発明によるパケット通信システムは、第１のプロトコルによるパケット端末を第２のプロトコルによるネットワークへ接続するためのプロトコル変換機を含むパケット通信システムであって、
前記パケット端末が新規に接続される時に当該パケット端末のアドレス情報を前記ネットワークに既接続のプロトコル変換機に通知する通知手段と、通知されたアドレス情報と当該アドレス情報の通知元のプロトコル変換機のアドレス情報とを変換テーブルに記憶する記憶処理手段と、前記変換テーブルのアドレス情報を基に前記通知元のプロトコル変換機への通信を行う通信手段とを前記プロトコル変換機に備えている。
【００１１】
本発明による他のパケット通信システムは、上記の構成において、前記通知手段が、新規接続のためのユーザ認証のためのログイン名及びパスワードを通知する手段を具備している。
【００１２】
本発明による別のパケット通信システムは、第１のプロトコルによるパケット端末を第２のプロトコルによるネットワークへ接続するためのプロトコル変換機と、前記ネットワークにおけるアドレスを管理するゲートキーパとを含むパケット通信システムであって、
前記プロトコル変換機に、前記パケット端末が新規に接続される時に当該パケット端末のアドレス情報を電話番号の代わりに前記ゲートキーパに通知する手段と、前記ゲートキーパに登録されたアドレス情報を取得する手段と、前記ゲートキーパから取得したアドレス情報に基づいて新設されたプロトコル変換機への通信を行う手段とを備えている。
【００１３】
本発明によるプロトコル変換機は、第１のプロトコルによるパケット端末を第２のプロトコルによるネットワークへ接続するためのプロトコル変換機であって、前記パケット端末が新規に接続される時に当該パケット端末のアドレス情報を前記ネットワークに既接続のプロトコル変換機に通知する通知手段と、通知されたアドレス情報と当該アドレス情報の通知元のプロトコル変換機のアドレス情報とを変換テーブルに記憶する記憶処理手段と、前記変換テーブルのアドレス情報を基に前記通知元のプロトコル変換機への通信を行う通信手段とを備えている。
【００１４】
本発明による他のプロトコル変換機は、上記の構成において、前記通知手段が、新規接続のためのユーザ認証のためのログイン名及びパスワードを通知する手段を具備している。
【００１５】
本発明による別のプロトコル変換機は、第１のプロトコルによるネットワークにおけるアドレスを管理するゲートキーパを含むパケット通信システムにおいて、第２のプロトコルによるパケット端末を前記ネットワークへ接続するためのプロトコル変換機であって、
前記パケット端末が新規に接続される時に当該パケット端末のアドレス情報を電話番号の代わりに前記ゲートキーパに通知する手段と、前記ゲートキーパに登録されたアドレス情報を取得する手段と、前記ゲートキーパから取得したアドレス情報に基づいて新設されたプロトコル変換機への通信を行う手段とを備えている。
【００１６】
本発明によるアドレス認識方法は、第１のプロトコルによるパケット端末を第２のプロトコルによるネットワークへ接続するためのプロトコル変換機を含むパケット通信システムにおいてアドレス認識を行うアドレス認識方法であって、前記プロトコル変換機側に、前記パケット端末が新規に接続される時に当該パケット端末のアドレス情報を前記ネットワークに既接続のプロトコル変換機に通知するステップと、通知されたアドレス情報と当該アドレス情報の通知元のプロトコル変換機のアドレス情報とを変換テーブルに記憶するステップと、前記変換テーブルのアドレス情報を基に前記通知元のプロトコル変換機への通信を行うステップとを備えている。
【００１７】
本発明による他のアドレス認識方法は、上記のステップにおいて、前記アドレス情報を通知するステップが、新規接続のためのユーザ認証のためのログイン名及びパスワードを通知している。
【００１８】
本発明による別のアドレス認識方法は、第１のプロトコルによるパケット端末を第２のプロトコルによるネットワークへ接続するためのプロトコル変換機と、前記ネットワークにおけるアドレスを管理するゲートキーパとを含むパケット通信システムにおいてアドレス認識を行うアドレス認識方法であって、前記プロトコル変換機側に、前記パケット端末が新規に接続される時に当該パケット端末のアドレス情報を電話番号の代わりに前記ゲートキーパに通知するステップと、前記ゲートキーパに登録されたアドレス情報を取得するステップと、前記ゲートキーパから取得したアドレス情報に基づいて新設されたプロトコル変換機への通信を行うステップとを備えている。
【００１９】
すなわち、本発明の第１のアドレス認識方法は、Ｘ．２５−ＩＰプロトコル変換機のアドレス認識方法であり、Ｘ．２５−ＩＰプロトコル変換機各々に、新規に接続された際に既存のＸ．２５−ＩＰプロトコル変換機に対してＤＴＥ（Ｄａｔａ  Ｔｅｒｍｉｎａｌ  Ｅｑｕｉｐｍｅｎｔ）アドレス、ユーザＩＤ（識別情報）、パスワードを通知する通知手段と、通知されたＤＴＥアドレスをＩＰ（Ｉｎｔｅｒｎｅｔ  Ｐｒｏｔｏｃｏｌ）アドレスと対応させて記憶する手段と、通知されたユーザＩＤとパスワードとによって接続の認証を行う手段と、認証の結果によって新規のＸ．２５−ＩＰプロトコル変換機を接続または切断する手段とを備えているので、ＩＰネットワーク上にＸ．２５パケット端末を新設する場合に既存Ｘ．２５−ＩＰプロトコル変換機へのアドレス認識のための登録作業を削減することが可能となる。
【００２０】
また、本発明の第２のアドレス認識方法は、Ｘ．２５−ＩＰプロトコル変換機各々に、ＶｏＩＰ（Ｖｏｉｃｅ  ｏｖｅｒ  Ｉｎｔｅｒｎｅｔ  Ｐｒｏｔｏｃｏｌ）システムのＨ．３２３手順をＸ．２５−ＩＰプロトコル変換機に実装することで接続相手のＩＰアドレスを入手する入手手段と、自ＤＴＥアドレスをネットワークに登録する登録手段とを備え、ＩＰネットワーク上にＸ．２５パケットを新設する場合に既存Ｘ．２５−ＩＰプロトコル変換機へのアドレス認識のための登録作業をＨ．３２３ゲートキーパにて実施している。
【００２１】
これによって、本発明の第２のアドレス認識方法では、Ｈ．３２３ゲートキーパを使用することで、既設のＸ．２５−ＩＰプロトコル変換機への登録操作（設定変更）が不要となる。
【発明の効果】
【００２２】
本発明のアドレス認識方法は、以下に述べるような構成及び動作とすることで、新規にネットワークに接続されるＸ．２５−ＩＰプロトコル変換機の接続情報を既設Ｘ．２５−ＩＰプロトコル変換機で認識することができるという効果が得られる。
【００２３】
また、本発明の他のアドレス認識方法は、以下に述べるような構成及び動作とすることで、新規に接続されるＸ．２５−ＩＰプロトコル変換機への接続認証を行うことができるという効果が得られる。
【発明を実施するための最良の形態】
【００２４】
次に、本発明の実施例について図面を参照して説明する。図１は本発明の一実施例によるパケット通信システムの構成を示すブロック図である。図１において、本発明の一実施例によるパケット通信システムは、新設のＸ．２５パケット端末３が接続される新設のＸ．２５−ＩＰ（Ｉｎｔｅｒｎｅｔ  Ｐｒｏｔｏｃｏｌ）プロトコル変換機１と、既設のＸ．２５パケット端末４が接続されている既設のＸ．２５−ＩＰプロトコル変換機２とをＩＰネットワーク１００を介して接続することで構成されている。
【００２５】
ここで、Ｘ．２５とは、公衆パケット網での網終端装置（ＤＣＥ：Ｄａｔａ  Ｃｉｒｃｕｉｔ  ｔｅｒｍｉｎａｔｉｎｇ  Ｅｑｕｉｐｍｅｎｔ）と端末（ＤＴＥ）とのインタフェース規定であり、データ転送に主従の関係を持ち込まないＬＡＰ−Ｂ（Ｌｉｎｋ  Ａｃｃｅｓｓ  Ｐｒｏｃｅｄｕｒｅ−Ｂａｌａｎｃｅｄ：平衡型リンク・アクセス・プロトコル）が規定されている。
【００２６】
新設のＸ．２５パケット端末３は新設のＸ．２５−ＩＰプロトコル変換機１によってＩＰネットワーク１００に接続され、既設のＸ．２５−ＩＰプロトコル変換機２を経由し、バーチャルコネクト形態にて既設のＸ．２５パケット端末４に呼接続を行う通信機能を有している。
【００２７】
新設のＸ．２５−ＩＰプロトコル変換機１はＤＴＥ（Ｄａｔａ  Ｔｅｒｍｉｎａｌ  Ｅｑｕｉｐｍｅｎｔ）アドレス−ＩＰアドレス変換テーブル１１と、変換機側通信部１２と、端末側通信部１３とから構成されている。
【００２８】
ＤＴＥアドレス−ＩＰアドレス変換テーブル１１はＸ．２５パケット端末のＤＴＥアドレスとＸ．２５−ＩＰプロトコル変換機のＩＰアドレスとを対応付けて記憶するテーブルである。
【００２９】
変換機側通信部１２は新設のＸ．２５パケット端末３からの呼接続要求時に既設のＸ．２５−ＩＰプロトコル変換機２向けにＤＴＥアドレス、ユーザＩＤ（識別情報）、パスワードをＩＰパケットとして送信する。
【００３０】
端末側通信部１３はＩＰパケット（接続許可）の受信時に新設のＸ．２５パケット端末３に対して呼接続要求パケットを送信し、ＩＰパケット（接続不可）の受信時に新設のＸ．２５パケット端末３に対して切断指示パケットを送信する。
【００３１】
既設のＸ．２５−ＩＰプロトコル変換機２はＤＴＥアドレス−ＩＰアドレス変換テーブル２１と、接続認証アドレス記憶部２２と、変換機側通信部２３と、端末側通信部２４とから構成されている。
【００３２】
ＤＴＥアドレス−ＩＰアドレス変換テーブル２１はＸ．２５パケット端末のＤＴＥアドレスとＸ．２５−ＩＰプロトコル変換機のＩＰアドレスとを対応付けて記憶するテーブルである。
【００３３】
接続認証アドレス記憶部２２は新設のＸ．２５−ＩＰプロトコル変換機１からのＩＰパケットの内容に応じて接続の認証を行うとともに、新設のＸ．２５−ＩＰプロトコル変換機１からのＩＰパケットによってＤＴＥアドレス−ＩＰアドレス変換テーブル２１にＤＴＥアドレス及びＩＰアドレスを記憶する。
【００３４】
変換機側通信部２３は新設のＸ．２５−ＩＰプロトコル変換機１からのＩＰパケットを受信した後、認証結果に応じてＩＰパケット（接続許可）及びＩＰパケット（接続不可）によって接続の可否を新設のＸ．２５−ＩＰプロトコル変換機１に送信する。
【００３５】
端末側通信部２４は呼接続要求パケットを受信した後、既設のＸ．２５パケット端末４に呼接続要求パケットを送信し、既設のＸ．２５パケット端末４から新設のＸ．２５パケット端末３への送信パケットのＩＰアドレスを、登録されたＤＴＥアドレス−ＩＰアドレス変換テーブル２１によって認識して通信する。
【００３６】
尚、新設のＸ．２５−ＩＰプロトコル変換機１と既設のＸ．２５−ＩＰプロトコル変換機２とは同一の構成であってもよく、その場合には新設のＸ．２５−ＩＰプロトコル変換機１の構成が既設のＸ．２５−ＩＰプロトコル変換機２と同様の構成となる。
【００３７】
図２及び図４は図１の新設のＸ．２５−ＩＰプロトコル変換機１の動作を示すフローチャートであり、図３及び図５は図１の既設のＸ．２５−ＩＰプロトコル変換機２の動作を示すフローチャートである。
【００３８】
図６は本発明の一実施例によるパケット通信システムにおける認証後接続許可シーケンスを示すシーケンスチャートであり、図７は本発明の一実施例によるパケット通信システムにおける認証後接続拒否シーケンスを示すシーケンスチャートである。これら図１〜図７を参照して本発明の一実施例によるパケット通信システムにおけるアドレス認識の動作について説明する。
【００３９】
まず、新設のＸ．２５−ＩＰプロトコル変換機１は新設のＸ．２５パケット端末３からのＸ．２５手順による既設のＸ．２５パケット端末４への呼接続要求パケットを受信すると（図２ステップＳ１）（図６のａ１、図７のｂ１）、呼接続要求パケットにて通知されたＤＴＥアドレスを基にＤＴＥアドレス−ＩＰアドレス変換テーブル１１からＸ．２５−ＩＰプロトコル変換機２のＩＰアドレスを検索する（図２ステップＳ２、図７のｂ２）。
【００４０】
新設のＸ．２５−ＩＰプロトコル変換機１はＤＴＥアドレス−ＩＰアドレス変換テーブル１１にて検索された既設のＸ．２５−ＩＰプロトコル変換機２のＩＰアドレスに向け、ＩＰネットワーク１００を経由してＸ．２５パケット端末３のＤＴＥアドレス、ユーザＩＤ、パスワードを含んだＩＰパケットを生成して送信する（図２ステップＳ３，Ｓ４）（図６のａ２，図７のｂ２）。
【００４１】
既設のＸ．２５−ＩＰプロトコル変換機２は新設のＸ．２５−ＩＰプロトコル変換機１からＩＰパケットを受信すると（図３ステップＳ１１）（図６のａ２，図７のｂ２）、ユーザＩＤ、パスワードの整合を認証し（図３ステップＳ１２）、Ｘ．２５−ＩＰプロトコル変換機１からのパケット通信の可否を決定する。
【００４２】
既設のＸ．２５−ＩＰプロトコル変換機２は認証の結果、新設のＸ．２５−ＩＰプロトコル変換機１からの接続を許可する場合、ＩＰパケットのヘッダ上の相手ＩＰアドレスである新設のＸ．２５−ＩＰプロトコル変換機１のＩＰアドレスとＩＰパケットに含まれる新設のＸ．２５パケット端末３のＤＴＥアドレスとをＤＴＥアドレス−ＩＰアドレス変換テーブル２１に記憶する（図３ステップＳ１３）。
【００４３】
既設のＸ．２５−ＩＰプロトコル変換機２は、上記の認証によって、ＩＰパケットに対する接続許可を示す場合、ＩＰパケット（接続許可）を生成して送信する（図３ステップＳ１４，Ｓ１５）（図６のａ３）。
【００４４】
新設のＸ．２５−ＩＰプロトコル変換機１は既設のＸ．２５−ＩＰプロトコル変換機２からＩＰパケット（接続許可）を受信すると（図４ステップＳ２１）（）（図６のａ３）、新設のＸ．２５パケット端末１から受信した呼接続要求パケットをＩＰパケットにＩＰカプセル化して乗せ、既設のＸ．２５−ＩＰプロトコル変換機２に送信する（図４ステップＳ２２，Ｓ２３）（図６のａ４）。
【００４５】
既設のＸ．２５−ＩＰプロトコル変換機２は呼接続要求パケットがＩＰカプセル化されたＩＰパケットを受信すると（図５ステップＳ３１）（図６のａ４）、そのＩＰパケットのヘッダを削除し、既設のＸ．２５パケット端末４に呼接続要求パケットを送信する（図５ステップＳ３２）（図６のａ５）。これ以降、既設のＸ．２５−ＩＰプロトコル変換機２は受信パケットの接続先をＤＴＥアドレス−ＩＰアドレス変換テーブル２１から認識する（図５ステップＳ３３）
【００４６】
既設のＸ．２５パケット端末４は呼接続要求パケットを受信すると、Ｘ．２５手順に基づいて着呼受付けパケットを既設のＸ．２５−ＩＰプロトコル変換機２に送信する（図６のａ６）。
【００４７】
既設のＸ．２５−ＩＰプロトコル変換機２は既設のＸ．２５パケット端末４から着呼受付けパケットを受信すると、ＤＴＥアドレス−ＩＰアドレス変換テーブル２１に登録された新設のＸ．２５−ＩＰプロトコル変換機１のＩＰアドレスに向け、着呼受付けパケットをＩＰパケットにＩＰカプセル化して乗せ、そのＩＰパケットを新設のＸ．２５−ＩＰプロトコル変換機１に送信する（図６のａ７）。
【００４８】
新設のＸ．２５−ＩＰプロトコル変換機１はＩＰパケットを受信すると、ＩＰパケットのＩＰヘッダを削除し、新設のＸ．２５パケット端末３に着呼受付けパケットを送信することで（図６のａ８）、新設のＸ．２５パケット端末３と既設のＸ．２５パケット端末４との通信が開始される。
【００４９】
次に、既設のＸ．２５−ＩＰプロトコル変換機２は、新設のＸ．２５−ＩＰプロトコル変換機１からのＩＰパケットに対する接続認証の結果（図３ステップＳ１２）、接続を許可しない場合、接続不可を示すＩＰパケット（接続不可）を送信する（図３ステップＳ１６）（図７のｂ３）。
【００５０】
新設のＸ．２５−ＩＰプロトコル変換機１はＩＰパケット（接続不可）を受信すると（図４ステップＳ２１）（図７のｂ３）、切断指示パケットを生成し（図４ステップＳ２４）、新設のＸ．２５パケット端末３に送信する（図４ステップＳ２５）（図７のｂ４）。
【００５１】
このように、本実施例では、新設のＸ．２５パケット端末３とともに新設された新設のＸ．２５−ＩＰプロトコル変換機１からの情報を登録する情報登録機能を既設のＸ．２５−ＩＰプロトコル変換機２に具備しているため、新設のＸ．２５−ＩＰプロトコル変換機１を使用してＩＰネットワーク１００に新設のＸ．２５パケット端末３を設ける場合、既設のＸ．２５−ＩＰプロトコル変換機２における新たな操作や登録を不要とすることができる。
【００５２】
図８は本発明の他の実施例によるパケット通信システムの構成を示すブロック図である。図８において、本発明の他の実施例によるパケット通信システムは、新設のＸ．２５パケット端末３が接続される新設のＸ．２５−ＩＰプロトコル変換機５と、既設のＸ．２５パケット端末４が接続されている既設のＸ．２５−ＩＰプロトコル変換機６とをＩＰネットワーク１００を介して接続することで構成されている。また、ＩＰネットワーク１００にはＩＰネットワーク１００におけるアドレス管理を実施するＨ．３２３ゲートキーパ７が接続されている。
【００５３】
新設のＸ．２５パケット端末３は新設のＸ．２５−ＩＰプロトコル変換機５によってＩＰネットワーク１００に接続され、既設のＸ．２５−ＩＰプロトコル変換機２を経由し、バーチャルコネクト形態にて既設のＸ．２５パケット端末６に呼接続を行う通信機能を有している。
【００５４】
新設のＸ．２５−ＩＰプロトコル変換機５は端末登録部５１と、ＤＴＥアドレス乗せ替え部５２と、ゲートキーパ側通信部５３と、変換機側通信部５４と、端末側通信部５５とから構成されている。
【００５５】
端末登録部５１はＨ．３２３機能のゾーン内の端末を登録し、ＤＴＥアドレス乗せ替え部５２は電話番号の代わりにＤＴＥアドレスを乗せる。新設のＸ．２５−ＩＰプロトコル変換機５はこれら端末登録部５１及びＤＴＥアドレス乗せ替え部５２によってＨ．３２３ゲートキーパ７に新設のＸ．２５端末３のＤＴＥアドレスと新設のＸ．２５−ＩＰプロトコル変換機５のＩＰアドレスとを登録する。
【００５６】
ゲートキーパ側通信部５３は新設のＸ．２５端末３からの接続要求パケットの受信時にＨ．３２３ゲートキーパ７に対して接続要求パケットの相手先ＤＴＥアドレスを電話番号の代わりに乗せたＩＰパケット（ＡＲＱ：Ａｄｍｉｓｓｉｏｎ＿Ｒｅｑｕｅｓｔ）を送信する。また、ゲートキーパ側通信部５３はこのＩＰパケット（ＡＲＱ）に対するＨ．３２３ゲートキーパ７からのＩＰパケット（ＡＣＦ：Ａｄｍｉｓｓｉｏｎ＿Ｃｏｎｆｉｒｍ）を受信する。
【００５７】
新設のＸ．２５−ＩＰプロトコル変換機５は上記のＩＰパケット（ＡＣＦ）によって相手先の既設のＸ．２５−ＩＰプロトコル変換機６のＩＰアドレスを認識した時に、呼接続要求パケットをＩＰ化し、変換機側通信部５４からＩＰパケット（呼接続要求）として既設のＸ．２５−ＩＰプロトコル変換機６に送信する。
【００５８】
新設のＸ．２５−ＩＰアドレス変換機５は既設のＸ．２５−ＩＰアドレス変換機６からＩＰパケット（着呼受付け）を受信すると、端末側通信部５５から着呼受付パケットを新設のＸ．２５パケット端末３に送信する。
【００５９】
既設のＸ．２５−ＩＰプロトコル変換機６は端末登録部６１と、ＤＴＥアドレス乗せ替え部６２と、ゲートキーパ側通信部６３と、変換機側通信部６４と、端末側通信部６５とから構成されている。
【００６０】
端末登録部６１はＨ．３２３機能のゾーン内の端末を登録し、ＤＴＥアドレス乗せ替え部６２は電話番号の代わりにＤＴＥアドレスを乗せる。既設のＸ．２５−ＩＰプロトコル変換機６はこれら端末登録部６１及びＤＴＥアドレス乗せ替え部６２によってＨ．３２３ゲートキーパ７に既設のＸ．２５端末４のＤＴＥアドレスと既設のＸ．２５−ＩＰプロトコル変換機６のＩＰアドレスとを登録する。
【００６１】
既設のＸ．２５−ＩＰプロトコル変換機６は新設のＸ．２５−ＩＰプロトコル変換機５からＩＰパケット（呼接続要求）を受信すると、端末側通信部６５から既設のＸ．２５パケット端末４に呼接続要求パケットを送信する。
【００６２】
既設のＸ．２５−ＩＰプロトコル変換機６は既設のＸ．２５パケット端末４から着呼受付けパケットを受信すると、その着呼受付けパケットをＩＰ化し、ＩＰパケット（着呼受付け）として変換機側通信部６４から新設のＸ．２５−ＩＰプロトコル変換機５へ送信する。
【００６３】
ゲートキーパ側通信部６３は変換機側通信部６４からＩＰパケット（着呼受付け）が新設のＸ．２５−ＩＰプロトコル変換機５に送信されると、Ｈ．３２３ゲートキーパ７へ呼接続の完了を示すＩＰパケット（ＡＲＱ）を送信する。また、ゲートキーパ側通信部６３はこのＩＰパケット（ＡＲＱ）に対するＨ．３２３ゲートキーパ７からのＩＰパケット（ＡＣＦ）を受信する。
【００６４】
Ｈ．３２３ゲートキーパ７はＶｏＩＰ（Ｖｏｉｃｅ  ｏｖｅｒ  Ｉｎｔｅｒｎｅｔ  Ｐｒｏｔｏｃｏｌ）のアドレス管理を行う。このＨ．３２３ゲートキーパ７としては標準品を使用し、Ｘ．２５パケットをＩＰ化する場合のＤＴＥアドレスとＩＰアドレスとの一元管理を実施する。
【００６５】
Ｈ．３２３ゲートキーパ７は新設のＸ．２５−ＩＰプロトコル変換機５からＩＰパケット（ＡＲＱ）を受信すると、通常のＶｏＩＰ電話接続手段と同様の処理を行い、相手先ＩＰアドレスを通知するＩＰパケット（ＡＣＦ）を新設のＸ．２５−ＩＰプロトコル変換機５に返信する。Ｈ．３２３ゲートキーパ７は既設のＸ．２５−ＩＰ変換機６からＩＰパケット（ＡＲＱ）を受信すると、呼接続の完了を登録し、呼接続の完了を通知するＩＰパケット（ＡＣＦ）を既設のＸ．２５−ＩＰプロトコル変換機６に返信する。
【００６６】
上述したＩＰパケットはＩＰパケット処理部７１にて処理される。また、ＩＰパケット処理部７１は上記の通常のＶｏＩＰ電話接続手段と同様の処理も行う。さらに、Ｈ．３２３では、サービス品質が保証されないＬＡＮ（Ｌｏｃａｌ  Ａｒｅａ  Ｎｅｔｗｏｒｋ）上での音声・動画像・データ通信の送受信方法の仕様と発呼時の信号方式とが規定されている。
【００６７】
図９は図８の新設のＸ．２５−ＩＰプロトコル変換機５の動作を示すフローチャートであり、図１０は図８のＨ．３２３ゲートキーパ７の動作を示すフローチャートであり、図１１は図８の既設のＸ．２５−ＩＰプロトコル変換機６の動作を示すフローチャートである。図１２は本発明の他の実施例によるパケット通信システムの動作を示すシーケンスチャートである。これら図８〜図１２を参照して本発明の他の実施例によるパケット通信システムにおけるアドレス認識の動作について説明する。
【００６８】
本実施例では、新設のＸ．２５−ＩＰプロトコル変換機５及び既設のＸ．２５−ＩＰプロトコル変換機６に、Ｈ．３２３機能のゾーン内の端末を登録する端末登録部５１，６１と、電話番号の代わりにＤＴＥアドレスを乗せるＤＴＥアドレス乗せ替え部５２，６２とを実装することによって、Ｈ．３２３ゲートキーパ７に新設のＸ．２５パケット端末３及び既設のＸ．２５パケット端末４各々のＤＴＥアドレスと新設のＸ．２５−ＩＰプロトコル変換機５及び既設のＸ．２５−ＩＰプロトコル変換機６各々のＩＰアドレスとを登録する（図９ステップＳ４１，Ｓ４２、図１０ステップＳ５１，Ｓ５２、図１１ステップＳ６１，Ｓ６２）。
【００６９】
新設のＸ．２５−ＩＰプロトコル変換機５は新設のＸ．２５パケット端末３からの接続要求パケットを受信すると（図９ステップＳ４３）（図１２のｃ１）、Ｈ．３２３ゲートキーパ７に接続要求パケットの相手先ＤＴＥアドレスを電話番号の代わりに乗せたＩＰパケット（ＡＲＱ）を送信する（図９ステップＳ４４）（図１２のｃ２）。
【００７０】
Ｈ．３２３ゲートキーパ７は新設のＸ．２５−ＩＰプロトコル変換機５からＩＰパケット（ＡＲＱ）を受信すると（図１０ステップＳ５３）（図１２のｃ２）、通常のＶｏＩＰ電話接続手段と同様の処理を行い、相手先ＩＰアドレスを通知するＩＰパケット（ＡＣＦ）を新設のＸ．２５−ＩＰプロトコル変換機５に返信する（図１０ステップＳ５４）（図１２のｃ３）。
【００７１】
新設のＸ．２５−ＩＰプロトコル変換機５はＨ．３２３ゲートキーパ７からのＩＰパケット（ＡＣＦ）によって相手先である既設のＸ．２５−ＩＰプロトコル変換機６のＩＰアドレスを認識すると（図９ステップＳ４５，Ｓ４６）、新設のＸ．２５パケット端末３からの呼接続要求パケットをＩＰ化し、ＩＰパケットとして既設のＸ．２５−ＩＰプロトコル変換機６に送信する（図９ステップＳ４７）（図１２のｃ４）。
【００７２】
既設のＸ．２５−ＩＰプロトコル変換機６は新設のＸ．２５−ＩＰプロトコル変換機５からＩＰパケットを受信すると（図１１ステップＳ６３）（図１２のｃ４）、既設のＸ．２５パケット端末４に呼接続要求パケットを送信する（図１１ステップＳ６４）（図１２のｃ５）。
【００７３】
既設のＸ．２５パケット端末４は既設のＸ．２５−ＩＰプロトコル変換機６から呼接続要求パケットを受信すると、着呼受付けパケットを既設のＸ．２５−ＩＰプロトコル変換機６に送信し、呼接続の完了を通知する（図１２のｃ６）。
【００７４】
既設のＸ．２５−ＩＰプロトコル変換機６は既設のＸ．２５パケット端末４から着呼受付けパケットを受信する（図１１ステップＳ６５）（図１２のｃ６）、その着呼受付けパケットをＩＰ化し、ＩＰパケットとして新設のＸ．２５−ＩＰプロトコル変換機５へ送信するとともに（図１１ステップＳ６６）（図１２のｃ７）、Ｈ．３２３ゲートキーパ７へ呼接続の完了を示すＩＰパケット（ＡＲＱ）を送信する（図１１ステップＳ６７）（図１２のｃ９）。
【００７５】
Ｈ．３２３ゲートキーパ７は既設のＸ．２５−ＩＰ変換機６からＩＰパケット（ＡＲＱ）を受信すると（図１０ステップＳ５５）（図１２のｃ９）、呼接続の完了を登録し（図１０ステップＳ５６）、呼接続の完了を通知するＩＰパケット（ＡＣＦ）を既設のＸ．２５−ＩＰプロトコル変換機６に返信する（図１０ステップＳ５７）（図１２のｃ１０）。
【００７６】
新設のＸ．２５−ＩＰアドレス変換機５は既設のＸ．２５−ＩＰ変換機６からＩＰパケットを受信すると（図９ステップＳ４８）（図１２のｃ７）、着呼受付けパケットを新設のＸ．２５パケット端末３に送信し（図９ステップＳ４９）（図１２のｃ８）、呼接続処理を終了する。この後、新設のＸ．２５パケット端末３と既設のＸ．２５パケット端末４との通信が開始される（図１２のｃ１１）。
【００７７】
このように、本実施例では、Ｘ．２５パケット端末３とともに新設される新設のＸ．２５−ＩＰプロトコル変換機５にＨ．３２３手順を具備させ、アドレス管理情報を標準的なＨ．３２３ゲートキーパ７で実施させることによって、新設のＸ．２５−ＩＰプロトコル変換機５を使用してＩＰネットワーク１００に新設のＸ．２５パケット端末３を設ける場合、既設のＸ．２５−ＩＰプロトコル変換機６における新たな操作や登録を不要とすることができる。
【図面の簡単な説明】
【００７８】
【図１】本発明の一実施例によるパケット通信システムの構成を示すブロック図である。
【図２】図１の新設のＸ．２５−ＩＰプロトコル変換機１の動作を示すフローチャートである。
【図３】図１の既設のＸ．２５−ＩＰプロトコル変換機２の動作を示すフローチャートである。
【図４】図１の新設のＸ．２５−ＩＰプロトコル変換機１の動作を示すフローチャートである。
【図５】図１の既設のＸ．２５−ＩＰプロトコル変換機２の動作を示すフローチャートである。
【図６】本発明の一実施例によるパケット通信システムにおける認証後接続許可シーケンスを示すシーケンスチャートである。
【図７】本発明の一実施例によるパケット通信システムにおける認証後接続拒否シーケンスを示すシーケンスチャートである。
【図８】本発明の他の実施例によるパケット通信システムの構成を示すブロック図である。
【図９】図８の新設のＸ．２５−ＩＰプロトコル変換機５の動作を示すフローチャートである。
【図１０】図８のＨ．３２３ゲートキーパの動作を示すフローチャートである。
【図１１】図８の既設のＸ．２５−ＩＰプロトコル変換機６の動作を示すフローチャートである。
【図１２】本発明の他の実施例によるパケット通信システムの動作を示すシーケンスチャートである。
【符号の説明】
【００７９】
１，５  新設のＸ．２５−ＩＰプロトコル変換機
２，６  既設のＸ．２５−ＩＰプロトコル変換機
３  新設のＸ．２５パケット端末
４  既設のＸ．２５パケット端末
７  Ｈ．３２３ゲートキーパ
１１，２１  ＤＴＥアドレス−ＩＰアドレス変換テーブル
１２，２３  変換機側通信部
１３，２４  端末側通信部
２２  接続認証アドレス記憶部
５１，６１  端末登録部
５２，６２  ＤＴＥアドレス乗せ替え部
５３，６３  ゲートキーパ側通信部
５４，６４  変換機側通信部
５５，６５  端末側通信部
１００  ＩＰネットワーク
【図１】
2005269127.tif 000003
【図２】
2005269127.tif 000004
【図３】
2005269127.tif 000005
【図４】
2005269127.tif 000006
【図５】
2005269127.tif 000007
【図６】
2005269127.tif 000008
【図７】
2005269127.tif 000009
【図８】
2005269127.tif 000010
【図９】
2005269127.tif 000011
【図１０】
2005269127.tif 000012
【図１１】
2005269127.tif 000013
【図１２】
2005269127.tif 000014